(57)【特許請求の範囲】
【請求項１】
アンテナを含んだ第１通信路を経由した着信を検出する着信検出部と、
前記着信検出部が前記着信を検出したとき、着信を報知するための報知部と、
外部の機器から、前記第１通信路とは異なる第２通信路を経由して送信されるデータを受信するデータ通信部と、
前記データ通信部が前記外部の機器とデータ通信状態にあるか否かを検出する通信検出部と、
前記着信の報知を制御するための報知制御部と、
前記データ通信部が前記データ通信状態にあると検出されるときに前記着信検出部により検出された前記着信を、記憶部に格納する着信格納部と、
電力信号により充電可能なバッテリ部と、
前記通信検出部により、前記データ通信部が前記第２通信路を経由した前記データ通信状態にないと検出されるとき、前記第２通信路を経由して外部から前記電力信号を受信し、受信した前記電力信号を前記バッテリ部に出力する電力受信出力部と、を備え、
前記報知制御部は、
前記データ通信部が前記データ通信状態にあると検出されるときは、前記報知部が前記着信を報知するのを抑制する、携帯端末。
【請求項２】
前記報知制御部は、
前記データ通信部が前記データ通信状態にないと検出されるときは、前記報知部に、前記着信格納部により格納された前記着信を報知させる、請求項１に記載の携帯端末。
【請求項３】
前記データ通信部が前記データ通信状態にあると検出されるときに前記着信検出部により検出された前記着信とともに受信された情報を前記記憶部に格納する、請求項１または２に記載の携帯端末。
【請求項４】
前記記憶部に格納された内容を出力する出力部を、さらに備える、請求項１から３のいずれか１項に記載の携帯端末。
【請求項５】
前記携帯端末には、クレードルが着脱自在に接続され、
接続された前記クレードルは、前記電力信号を前記第２通信路に送信する、請求項１から４のいずれか１項に記載の携帯端末。
【請求項６】
前記携帯端末は、
前記クレードルが接続されているか否かを検出する接続検出部を、さらに備え、
前記クレードルが接続されていると検出されてから所定時間内に、前記データ通信部の状態が前記データ通信状態に移行しないときは、前記電力受信出力部により、前記クレードルからの前記電力信号の受信を開始する、請求項５に記載の携帯端末。
【請求項７】
前記クレードルは、異なる前記携帯端末により共用されて、
前記クレードルは、外部から入力したデータを前記第２通信路に送信し、
前記異なる携帯端末それぞれは、当該携帯端末を識別するための識別子が割当てられて、
前記携帯端末は、前記クレードルが接続されるとき、自己に割当てられた前記識別子に基づき、前記第２通信路を経由したデータ通信が許可される、請求項５または６に記載の携帯端末。
【請求項８】
前記クレードルは、メモリを含み、
前記クレードルは、外部から入力したデータを前記第２通信路に送信し、
前記データ通信部が、前記クレードルからデータを受信中に、前記着信検出部が前記着信としてメールの着信を検出するとき、前記クレードルは、メールの着信検出後に入力するデータを、前記第２通信路への送信に代替して前記メモリに格納する、請求項５から７のいずれか１項に記載の携帯端末。
【請求項９】
アンテナおよび電力信号により充電可能なバッテリ部を備えた携帯端末の動作制御方法であって、
前記アンテナを含んだ第１通信路を経由した着信を検出するステップと、
前記着信を検出するステップにより前記着信を検出したときに、着信を報知するためのステップと、
前記携帯端末が、前記第１通信路とは異なる第２通信路を経由して、外部の機器とデータ通信状態にあるか否かを検出するステップと、
前記着信の報知を制御するステップと、
前記携帯端末が前記データ通信状態にあると検出されるときにおいて、検出される前記着信を記憶部に格納するステップと、
前記携帯端末が前記第２通信路を経由した前記データ通信状態にないと検出されるときは、前記第２通信路を経由して外部から前記電力信号を受信し、受信した前記電力信号を前記バッテリ部に出力するステップと、を備え、
前記報知を制御するステップでは、
前記携帯端末が前記第２通信路を経由した前記データ通信状態にあると検出されるときは、前記報知するためのステップにおける前記着信の報知を抑制する、携帯端末の動作制御方法。
【請求項１０】
前記携帯端末には、クレードルが着脱自在に接続され、
接続された前記クレードルは、前記電力信号を前記第２通信路に送信する、請求項９に記載の携帯端末の動作制御方法。
【請求項１１】
前記動作制御方法は、
前記クレードルが接続されているか否かを検出するステップと、
前記クレードルが接続されていると検出されてから所定時間内に、前記携帯端末の状態が前記データ通信状態に移行しないときは、前記クレードルからの前記電力信号の受信を開始するステップと、をさらに備える、請求項１０に記載の携帯端末の動作制御方法。
【発明の詳細な説明】
【技術分野】
【０００１】
本発明は、携帯端末およびその動作制御方法に関し、特に、外部機器からデータを転送することによってデータ供給される携帯端末およびその動作制御方法に関する。
【背景技術】
【０００２】
電話帳、スケジュールなどのデータに関し、パーソナルコンピュータと携帯電話（またはＰＤＡ（Personal  Digital  Assistant）端末など）は両者が保持するデータを比較し、比較結果に基づき、両者が保持するデータを最新にするようにデータ通信を行なう。【０００３】
このようなデータ通信において携帯電話が操作されるとデータ通信が中断し、正常にデータ通信を完了させることが困難となる。これを防止するために、特許文献１（特開２００４−１５２２２号公報）では、通信機能付き充電器を用いて通信を行なう携帯端末について、通信中は携帯端末を充電器から取外されるのを防止する機能が提供される。具体的には、充電器は通信開始を検出すると、ロック機構を駆動して携帯端末と充電器を互いに固定するように動作する。【０００４】
特許文献２（特開２０００−１３４１４６号公報）では、パーソナルコンピュータと通信する携帯電話機は、パーソナルコンピュータと通信をしながらパーソナルコンピュータから電源供給を受けて充電される。この構成においては、携帯電話機は、パーソナルコンピュータを接続するためのケーブルの入出力ピンの信号レベルに基づき、電力消費モードを通常モードと省電力モードとのいずれかに移行させる。【０００５】
特許文献３（特開２００２−１６５００４号公報）では、無線通信機能を有する端末装置は、外部機器の接続を検出した場合に、通信効率を向上させるために動作条件を変更する。
【先行技術文献】
【特許文献】
【０００６】
【特許文献１】特開２００４−１５２２２号公報
【特許文献２】特開２０００−１３４１４６号公報
【特許文献３】特開２００２−１６５００４号公報
【発明の概要】
【発明が解決しようとする課題】
【０００７】
特許文献１（特開２００４−１５２２２号公報）では、データ通信中に携帯端末が充電器から取外されないようにするために、ロック機構を特別に必要とされるので、装置の小型化が阻害される。特許文献２（特開２０００−１３４１４６号公報）と特許文献３（特開２００２−１６５００４号公報）では、正常にデータ通信を完了させるために、データ通信中の携帯電話機または端末装置のユーザによる不用意な操作を防止する構成は示されない。【０００８】
それゆえに、本発明の目的は、外部機器とのデータ通信中の携帯端末の不用意な操作を防止することができる携帯端末、および携帯端末の動作制御方法を提供することである。
【課題を解決するための手段】
【０００９】
この発明のある局面に従う携帯端末は、アンテナを含んだ第１通信路を経由した着信を検出する着信検出部と、着信検出部が着信を検出したとき、着信を報知するための報知部と、外部機器から、第１通信路とは異なる第２通信路を経由して送信されるデータを受信するデータ通信部と、データ通信部が外部機器とデータ通信状態にあるか否かを検出する通信検出部と、着信の報知を制御するための報知制御部とを備える。、
報知制御部は、通信検出部がデータ通信状態にあると検出するときは、報知部が着信を報知するのを抑制する。【００１０】
好ましくは、報知制御部は、通信検出部がデータ通信状態にあると検出するときに着信検出部が検出した着信に応答して、送信元に所定メッセージを送信するメッセージ送信部を含む。【００１１】
好ましくは、所定メッセージの内容は、送信元毎に異なる。
好ましくは、携帯端末は、記憶部と、通信検出部が前記データ通信状態にあると検出するときに着信検出部により検出された着信を記憶部に格納する着信格納部と、をさらに備える。【００１２】
好ましくは、報知制御部は、通信検出部がデータ通信状態にないと検出するときは、報知部に、着信格納部により格納された着信を報知させる。【００１３】
好ましくは、報知制御部は、通信検出部がデータ通信状態にあると検出するときに着信検出部が検出した着信とともに受信した情報を記憶部に格納する。【００１４】
好ましくは、携帯端末は、記憶部に格納された内容を出力する出力部を、さらに備える。【００１５】
好ましくは、携帯端末は、与えられる電力信号により充電可能なバッテリ部を、さらに備える。携帯端末は、第２通信路を経由して外部から送信される電力信号を受信すると、受信した電力信号をバッテリ部に出力する。【００１６】
この発明の他の局面に従うと、アンテナを備えた携帯端末の動作制御方法は、アンテナを含んだ第１通信路を経由した着信を検出するステップと、着信を検出するステップにより着信を検出したときに、着信を報知するためのステップと、携帯端末が、第１通信路とは異なる第２通信路を経由して、外部の機器とデータ通信状態にあるか否かを検出するステップと、着信の報知を制御するステップとを備える。【００１７】
報知を制御するステップでは、検出するステップにより携帯端末がデータ通信状態にあると検出されるときは、報知するためのステップによる着信の報知を抑制する。
【発明の効果】
【００１８】
本発明によれば、携帯端末が第２通信路を経由して外部の機器とデータ通信状態にあるときは、第１通信路を経由した着信の検出があったとしても、着信の報知が抑制される。これにより、外部の機器とのデータ通信中にユーザが携帯端末を操作する可能性を低くできて、不用意な操作によるデータ通信の中断を回避できる。
【図面の簡単な説明】
【００１９】
【図１】本発明の実施の形態に係るデータ通信システムの構成図である。
【図２】本発明の実施の形態に係る携帯電話の機能構成図である。
【図３】本発明の実施の形態に係る携帯電話のスタンバイモードの処理フローチャートである。
【図４】この発明の実施の形態に係る携帯電話の公共モードの処理フローチャートである。
【図５】この発明の実施の形態に係る携帯電話の報知処理のフローチャートである。
【発明を実施するための形態】
【００２０】
以下、本発明のデータ通信システムの実施の形態について図面を参照しつつ説明する。
なお、同一の構成要素には各図において同一の符号を付し、詳細な説明は繰返さない。
【００２１】
本発明に係るデータ通信システムは、「データ供給のための情報処理装置」から「端末」へデータを供給する機能を有する。「端末」は、外部の機器または外部のネットワークなどとの通信機能を有する、たとえば、携帯型電話機（以下、携帯電話という）や、ＰＤＡなどの情報処理端末である。本実施の形態では、「端末」の代表例として、携帯電話を用いて説明する。
【００２２】
「データ供給のための情報処理装置」は、記憶部を有し、記憶部からデータを読出し、読出したデータを「端末」に転送することにより、「端末」にデータを供給する。「データ供給のための情報処理装置」の代表例として、本実施の形態では、ディスク装置を挙げるが、これに限定されない。たとえば、パーソナルコンピュータなど汎用のコンピュータであってもよい。ディスク装置は、内蔵するディスクにデータを記録（格納）し、記録したデータをディスクから読出し、読出したデータを、「端末」に送信する。とりわけ、本実施の形態では、ハイビジョン放送信号による番組データを録画可能なように、記録密度が高く且つ大容量のブルーレイディスク装置を例示する。
【００２３】
本実施の形態に係る「端末」は、「公共モード」を含む複数種類の動作モードを有する。「公共モード」では、「データ供給のための情報処理装置」から「端末」にデータが送信がされているデータ通信期間は、アンテナを介した着信を外部に対して報知する動作（音出力・振動・情報表示など）が抑制または禁止される。公共モードにおいては、通信回線を介して通話などの着信が検出されたとしても、当該着信の報知動作は行われない（禁止される）。また、タイマを用いたアラームの出力も行なわれない。これに対し、公共モードを除く他の動作モードでは、これらの情報の報知動作が許可される。
【００２４】
＜ハードウェア構成＞
図１を参照して、本実施の形態に係るデータ通信システムは、携帯電話２０、ブルーレイディスク装置（以下、単にディスク装置という）５０および携帯電話２０とディスク装置５０との間のデータ通信を中継するクレードル４０を備える。クレードル４０は、携帯電話２０を充電するための機能を有する。
【００２５】
携帯電話２０は、アンテナ２を有する無線部３を含む。無線部３は、外部のネットワーク（電話網などを含む）に携帯電話２０を接続するために、図示しない基地局などを介して無線通信し、また放送信号を受信する。携帯電話２０は、さらに、ＣＰＵ（Central  Processing  Unit）を含んで構成されるマイクロコンピュータとしての制御部１、無線部３を介して受信した信号を処理する信号処理部４、ならびに各種のデータおよびプログラムなどを記憶するための記憶部５を含む。さらに、携帯電話２０は、クレードル４０との間で通信路２１を介して信号・データの入出力を行なうための信号入出力部６、充電可能な内蔵バッテリ部７、音を出力するためのスピーカ８、音を入力するためのマイク９、情報表示のための液晶ディスプレイなどの表示部１０、ならびにキー、ボタンなどを含み、外部から操作されることにより操作に従う指示信号を入力するための操作部１１を含む。さらに、携帯電話２０は、時間を計時するタイマ１２、携帯電話２０の動作状態を報知するために点灯が制御されるＬＥＤ（Light  Emitting  Diode）部１３、および携帯電話２０自体を振動させるための小型のモータなどからなる振動部１４を含む。
【００２６】
アンテナ２を介した情報の通信路は第１の通信路に対応し、外部のディスク装置５０からデータを受信するための通信路２１は、第１の通信路とは異なる第２の通信路に対応する。
【００２７】
信号入出力部６は、電源Ｉ／Ｆ（Interface）６Ａと通信Ｉ／Ｆ（Interface）６Ｂを含む。信号入出力部６は、クレードル４０から、通信路２１を経由して電力信号およびデータ信号を入力する。電源Ｉ／Ｆ６Ａは、通信路２１を介して与えられる電力信号を入力し、入力した電力信号を内蔵バッテリ部７に供給する。内蔵バッテリ部７は、内蔵する電池を、供給される電力信号に基づき充電する。通信Ｉ／Ｆ６Ｂは、通信路２１を経由してクレードル４０から与えられるデータ信号を入力し、入力したデータ信号を制御部１に与える。制御部１は、与えられたデータ信号を入力し、入力したデータ信号を処理し、処理結果、得られたデータを記憶部５の所定領域に格納する。
【００２８】
ディスク装置５０は、ＣＰＵ５１、クレードル４０との間でデータ・信号などを入出力するための入出力部５２、放送局から送信される番組放送信号を受信するためのアンテナ５７を接続するチューナ５６、チューナ５６により受信した放送信号を処理するための放送信号受信部５３、および記憶部５４を備える。記憶部５４は、受信した番組データなど各種のデータを記憶するための書換え可能なブルーレイディスクを含む。
【００２９】
クレードル４０は、ＣＰＵ３１、信号入出力部３２、外部の商用のＡＣ（Alternating  Current）電源３５から電力信号を入力するためのＡＣ電源Ｉ／Ｆ（Interface）３３、および信号入出力部３４を備える。信号入出力部３２は、携帯電話２０との間でデータおよび電力信号を入出力する。信号入出力部３４は、ディスク装置５０との間で通信路４１を介してデータおよび信号を入出力する。
【００３０】
信号入出力部３２は、電力信号を携帯電話２０に供給するための電源Ｉ／Ｆ３２Ａおよびデータを携帯電話２０へ供給するための通信Ｉ／Ｆ３２Ｂを含む。クレードル４０は、携帯電話２０が載置される部分を有する。当該部分に携帯電話２０が載置されると、携帯電話２０の信号入出力部６と、クレードル４０の信号入出力部３２は通信路２１を介して通信が可能となるように接続される。このような接続状態において、クレードル４０は携帯電話２０に対し、ＡＣ電源３５から供給される電力信号を送信し、また、ディスク装置５０から受信したデータを送信する。
【００３１】
ここでは、通信路２１と４１は、ケーブルを介した有線の通信路であってもよく、また、ＩｒＤＡ（Infrared  Data  Association）またはBluetooth（登録商標）の無線による通信路であってもよい。
【００３２】
クレードル４０は通信路２１のケーブルを介して携帯電話２０と接続される場合には、ケーブルの携帯電話２０との接続端子は、信号入出力部６に着脱自在に接続される。同様に、クレードル４０は通信路４１のケーブルを介してディスク装置５０と接続される場合には、ケーブルのディスク装置５０との接続端子は、入出力部５２に着脱自在に接続される。
【００３３】
通信路２１と４１では、ＵＳＢ（Universal  Serial  Bus）のプロトコルに従い通信が行なわれると想定する。ＵＳＢのプロトコルは、一般の家電機器に適用されるプロトコルであり汎用性を有する。なお、適用されるプロトコルはＵＳＢに限定されるものではない。
【００３４】
＜機能構成＞
図２には、プログラム・データなどのソフトウェアまたはハードウェアにより実現される携帯電話２０の機能構成が示される。図２を参照して、携帯電話２０は、制御部１に対応する制御部２０１、記憶部５のアクセス（リード／ライト）を制御するメモリアクセス部２０２、報知部２０４、内蔵バッテリ部７の電池の充電動作を制御する充電制御部２０５、携帯電話２０とクレードル４０との接続を検出するための接続検出部２０６、無線部３およびアンテナ２を介した外部端末との通話を制御する通話部２０７、無線部３およびアンテナ２を介した外部端末とのデータ通信を制御するデータ通信部２０８、操作部１１が操作されたことによる入力信号を処理する入力処理部２０９、および、クレードル４０との間でＵＳＢプロトコルに従う通信を制御するＵＳＢ通信部２１０を備える。
【００３５】
メモリアクセス部２０２は、記憶部５のデータの格納を制御するデータ格納制御部２０３を有する。
【００３６】
報知部２０４は、携帯電話２０の動作モードを外部に報知する。また、公共モードを除く他の動作モードにおいて着信を検出した場合には、着信があったことを音、振動、ＬＥＤ、画像の表示などにより、外部に報知する。
【００３７】
接続検出部２０６は、通信路２１を経由して信号入出力部６から信号を入力したことを検出することにより、クレードル４０が接続されていることを検出する。または、信号入出力部６が通信路２１のケーブルを接続するための接続端子を有する場合には、当該接続端子の信号レベルがＯＦＦからＯＮに変化したことを検出することにより、携帯電話２０にクレードル４０が接続されたことを検出する。
【００３８】
制御部２０１は、モード制御部２１１、ＵＳＢ通信検出部２３０、着信検出部２３１、音楽データ再生部２３２および着信記録部２３３を含む。
【００３９】
モード制御部２１１は、携帯電話２０の動作モードを切替えるモード切替部２１２、および各種動作モードを制御するためのモード部を備える。モード部は、携帯電話２０が着信、外部からの操作などを待機するためのスタンバイモード部２１３、通話動作を制御する通話モード部２１４、電子メールの送受信を制御するメールモード部２１５、公共モード部２１６、電源Ｉ／Ｆ６Ａから入力する電力信号による内蔵バッテリ部７の電池の充電動作を制御する充電モード部２２０、および音楽データの再生を制御する音楽再生モード部２２１を含む。
【００４０】
公共モード部２１６は、携帯電話２０が通信路２１を経由してディスク装置５０とデータを通信する状態であると検出されるときに、報知部２０４による報知動作を抑制する報知制御部に対応する。公共モード部２１６は、アンテナ２を介した着信があったことを外部に報知するための着信報知部２１７、着信を検出した場合に送信元の相手端末に宛て応答のメッセージ（“電話に出られない”旨のメッセージ）を送信するためのメッセージ送信部２１８、および留守録部２１９を含む。留守録部２１９は、留守番時（ユーザが不在など、ユーザが携帯電話２０を操作できない状態にある期間）に着信した通話によるメッセージを記憶部５に格納する。
【００４１】
ＵＳＢ通信検出部２３０は、通信Ｉ／Ｆ６Ｂを介して入出力されるデータを監視する。ＵＳＢ通信検出部２３０は、ＵＳＢプロトコルに従うフォーマットのフレームを検出することにより、ＵＳＢ通信が行なわれていることを検出する。
【００４２】
記憶部５は、電子メールの送受信データであるメールデータ５Ａ、クレードル４０を介して受信したデータであるＵＳＢ受信データ５Ｂ、音楽データ再生部２３２により読出されてスピーカ８から出力される音楽データ５Ｃ、不在着信データ５Ｄ、留守録データ５Ｅ、メッセージデータ５Ｆおよび電話帳データ５Ｇを含む、各種データを格納する。不在着信データ５Ｄは、留守番時に検出した着信の通信相手先を指すデータ（電話番号など）である。留守録データ５Ｅは、留守番時に着信した通話によるメッセージである。メッセージデータ５Ｆは、留守番時に着信した相手端末宛てに送信するメッセージを指す。これらデータは、メモリアクセス部２０２により読出されて表示部１０に表示され、またはスピーカ８から音声で出力される。
【００４３】
＜全体の動作＞
図３のフローチャートに従い、携帯電話２０の動作モードを、スタンバイモードから他の動作モードに遷移させる処理について説明する。
【００４４】
携帯電話２０の動作モードは、スタンバイモード部２１３の制御の下に、スタンバイモードであると想定する。モード切替部２１２は、通話部２０７またはデータ通信部２０８によって通話または電子メールなどのデータ着信を検出したことを指す検出信号を、着信検出部２３１から入力すると、または、接続検出部２０６によって携帯電話２０がクレードル４０に接続されたことを検出したことを指す検出信号を入力すると、動作モードをスタンバイモードから他の動作モードに移行させる。
【００４５】
モード切替部２１２は、接続検出部２０６から入力した検出信号に基づき、携帯電話２０にクレードル４０が接続されたことを検出すると（ステップＳ３でＹＥＳ）、タイマ１２が出力する時間データに基づき、当該接続を検出してから所定時間が経過したか否かを判定する（ステップＳ５）。この所定時間の間に、ＵＳＢ通信検出部２３０が通信Ｉ／Ｆ６Ｂを介したＵＳＢプロトコルに従うデータ通信を検出し、検出信号を出力すると（ステップＳ７でＹＥＳ）、モード切替部２１２は、当該検出信号を入力し、入力した検出信号に基づき、動作モードを、スタンバイモードから公共モードに切替える（ステップＳ８）。具体的には、スタンバイモード部２１３を待ち状態に設定し、公共モード部２１６を起動する（ステップＳ９）。ＵＳＢプロトコルに従うデータ通信が検出されない間は、ステップＳ５とＳ７の処理が繰返される。
【００４６】
一方、クレードル４０との接続が検出されてから、所定時間を経過してもＵＳＢプロトコルに従うデータ通信が検出されない場合には（ステップＳ５でＹＥＳ）、モード制御部２１１は、動作モードを、スタンバイモードから充電モードに切替える（ステップＳ１８）。具体的には、スタンバイモード部２１３を待ち状態に設定し、充電モード部２２０を起動する（ステップＳ１９）。これにより、充電モード部２２０は、クレードル４０を介して内蔵バッテリ部７の電池を充電する（ステップＳ１９）。充電が終了すると充電モード部２２０は、充電完了の検出信号を出力する。モード制御部２１１は、当該検出信号を入力すると、動作モードを、充電モードからスタンバイモードに切替える（ステップＳ１６）。具体的には、充電モード部２２０を待ち状態に設定し、スタンバイモード部２１３を起動する（ステップＳ１７）。
【００４７】
所定時間のうちに、ＵＳＢプロトコルに従うデータ通信が検出されると（ステップＳ７でＹＥＳ）、モード制御部２１１は動作モードをスタンバイモードから公共モードに切替えるために、スタンバイモード部２１３を待ち状態に設定し、公共モード部２１６を起動する（ステップＳ９）。これにより、公共モード部２１６の制御の下に、ＵＳＢプロトコルに従うデータの受信および受信データの記憶部５への格納処理であるＵＳＢデータ通信処理が、ＵＳＢ通信部２１０およびメモリアクセス部２０２のデータ格納制御部２０３によって実行される（ステップＳ１１）。ＵＳＢデータ通信処理は、ＵＳＢ通信検出部２３０が、ＵＳＢプロトコルに従うデータ通信の終了を検出しない間（ステップＳ１３でＮＯ）、繰返される。公共モードにおいては、後述する図４のフローチャートに従い、着信の検出と検出した着信についての所定処理が行なわれる。
【００４８】
ＵＳＢ通信検出部２３０が、ＵＳＢプロトコルに従うデータ通信の終了を検出すると（ステップＳ１３でＹＥＳ）、公共モード部２１６は当該検出信号を入力したことに応じて、着信報知部２１７の動作を制御する。着信報知部２１７はＵＳＢデータ通信中に、着信検出部２３１が検出した着信を報知するために、後述の図５に従う報知処理を行なう（ステップＳ１５）。
【００４９】
着信の報知処理が行なわれた後、モード制御部２１１は、携帯電話２０の動作モードを、公共モードからスタンバイモードに切替える。具体的には、公共モード部２１６を待ち状態に設定し、スタンバイモード部２１３を起動する（ステップＳ１７）。
【００５０】
＜公共モードにおける着信検出動作＞
公共モードにおける、ＵＳＢプロトコルに従うデータの受信および受信データの格納処理（ステップＳ１１）においては、受信したデータはメモリアクセス部２０２のデータ格納制御部２０３により、ＵＳＢ受信データ５Ｂとして記憶部５に格納される。
【００５１】
公共モードにおては、公共モード部２１６は通信路２１を経由したデータ通信中であることをユーザに報知する。たとえば、表示部１０に‘データ通信中です’などのメッセージを表示する。または、ＬＥＤ部１３のＬＥＤを点灯状態とし、またはＬＥＤの発光色を所定色とする。
【００５２】
ステップＳ１１のデータ通信処理の期間も含めて、公共モードにおいては、着信検出に係る図４の処理が行われる。
【００５３】
具体的には、着信検出部２３１により、通話部２０７またはデータ通信部２０８を経由した通話またはデータ通信の着信があるか否かが検出される（ステップＳ２１）。これら着信が検出されないときは（ステップＳ２１でＮＯ）、図４の処理は終了し、ステップＳ１１に示したＵＳＢプロトコルに従うデータの受信と格納処理が行なわれる。
【００５４】
着信が検出されると（ステップＳ２１でＹＥＳ）、メッセージ送信部２１８は、メモリアクセス部２０２を介して記憶部５からメッセージデータ５Ｆを読出し、読み出したメッセージデータ５Ｆを、着信があった相手端末に送信する（ステップＳ２５）。これによって、着信の相手端末に対して、現在、電話に出ることができない状況である旨のメッセージが通知される。
【００５５】
そして、着信記録部２３３は、着信があった時間をタイマ１２に基づき検出し、検出した時間と着信した相手端末を特定する情報（電話番号など）を関連付けて、不在着信データ５Ｄとしてメモリアクセス部２０２を介して記憶部５に格納する（ステップＳ２７）。メールの着信である場合には、受信したメールデータがメールデータ５Ａとして格納される。
【００５６】
続いて、留守録部２１９は、着信の相手側端末から送信された音声メッセージを受信するかを検知する（ステップＳ２９）。受信したことを検知すると（ステップＳ２９でＹＥＳ）、留守録部２１９は、受信した音声メッセージのデータを留守録データ５Ｅとして着信時間のデータとともに記憶部５に格納する（ステップＳ３１）。音声メッセージの受信を検知しない場合は（ステップＳ２９でＮＯ）、図４の処理は終了する。
【００５７】
これにより、データ通信中の公共モードにおいては、外部からの着信を検出する動作が繰返される。着信が検出されたとしても、着信に関する情報は記憶部５に格納されるが、外部に報知されない。したがって、通信路２１を用いたデータ通信中にユーザが不用意に携帯電話２０を操作するのを回避できて、データ通信の中断を防止できる。
【００５８】
＜公共モードにおける報知処理＞
図５を参照して、ＵＳＢプロトコルに従うデータ通信が終了した後に、データ通信中に検出した着信に関する情報を報知する処理（ステップＳ１５）について説明する。
【００５９】
着信報知部２１７は、メモリアクセス部２０２を介して記憶部５の不在着信データ５Ｄを検索し、検索結果に基づき直前のデータ通信期間中に着信が検出されたか否かを判定する（ステップＳ４１）。直前のデータ通信期間はタイマ１２により計時されている。着信報知部２１７は、データ通信期間を指すタイマ１２の計時データと、不在着信データ５Ｄの時間データとを比較し、比較結果に基づき、データ通信期間内に着信が検出されたか否かを判定する。
【００６０】
データ通信期間内に着信が検出されていたと判定すると（ステップＳ４１でＹＥＳ）、着信報知部２１７は着信があった旨を報知する（ステップＳ４３）。ＬＥＤ部１３によるＬＥＤの点灯制御、表示部１０による所定メッセージの表示、スピーカ８による音声の出力、振動部１４による携帯電話２０の振動などによって報知される。
【００６１】
続いて、着信報知部２１７は、留守録データ５Ｅをメモリアクセス部２０２を介して検索し、検索結果に基づき、データ通信期間中の留守録のデータが格納されているか否かを判定する（ステップＳ４５）。留守録データが格納されていると判定すると（ステップＳ４５でＹＥＳ）、着信報知部２１７は、留守録データ５Ｅを記憶部５から読出し、読出した留守録データ５Ｅに基づきスピーカ８の出力を制御する。これにより、スピーカ８からは、着信の相手によって録音されたメッセージが音声で出力される（ステップＳ４９）。この留守録データ５Ｅの再生（音声による出力）は、ユーザが操作部１１を操作して、再生指示を予め入力していた場合（ステップＳ４７でＹＥＳ）にのみ行われるようにしてもよい。
【００６２】
データ通信中に着信が検出されなかった場合は（ステップＳ４１でＮＯ）、図５の処理は終了する。留守録データ５Ｅが記憶部５に格納されていなかった場合には（ステップＳ４５でＮＯ）、着信が報知された（ステップＳ４３）後に、図５の処理は終了する。留守録データ５Ｅが記憶部５に格納されているけれども再生の指示が与えられていなかった場合には（ステップＳ４７でＮＯ）、着信の報知がされた（ステップＳ４３）後に、図５の処理は終了する。
【００６３】
ここでＵＳＢプロトコルに従うディスク装置５０とのデータ通信中に、アンテナ２を介して、比較的大きなサイズのデータの着信（たとえば添付された画像データが比較的大きい電子メールの着信など）を検出したとき、制御部１は、着信した当該データを受信するために、ディスク装置５０からのデータを一時的に受信することができない。
【００６４】
この場合に対処するために、クレードル４０は、所定サイズの容量を有するバッファを備える。上述したようにサイズの大きいメールの着信により制御部１の処理能力が、ディスク装置５０とのデータ通信から、メールデータの着信処理に切替えられている期間は、クレードル４０のバッファにディスク装置５０から転送されたデータを格納する。その後、制御部１がデータ通信の処理に対応できるようになった時点で、クレードル４０は、バッファからデータを読出し、携帯電話２０に送信するようにしてもよい。当該バッファを用いない場合には、この期間において携帯電話２０がディスク装置５０から受信できなかったデータは、ディスク装置５０から再送されるようにしてもよい。
【００６５】
異なる携帯電話２０がクレードル４０を兼用するときは、クレードル４０は携帯電話２０のＩＤ（識別子）を判定する。クレードル４０は判定に基づき、予め指定されたＩＤが割当てられた携帯電話２０についてのみディスク装置５０とのデータ通信を許可する。指定されていないＩＤが割当てされた携帯電話２０がクレードル４０に接続された場合には、ディスク装置５０とのデータ通信を許可せず（禁止し）、充電制御部２０５による充電機能のみを活性化する。クレードル４０がＩＤの判定をするとしたが、携帯電話２０が、自己のＩＤが、予め指定されたＩＤであるかを判定するようにしてもよい。
【００６６】
携帯電話２０が、ディスク装置５０とデータ通信時に、アンテナ２を介した着信を検出した場合、着信した相手側端末にメッセージを送信する場合に、通信相手毎にメッセージの種類（内容）を変えるようにしてもよい。
【００６７】
上述の実施の形態では、データ通信は、クレードル４０を中継したが、携帯電話２０とディスク装置５０とは、クレードル４０を介さずにデータ通信するようにしてもよい。
【００６８】
このように、今回開示した上記実施の形態はすべての点で例示であって、制限的なものではない。本発明の技術的範囲は請求の範囲によって画定され、また請求の範囲の記載と均等の意味および範囲内でのすべての変更を含むものである。
【符号の説明】
【００６９】
２０２  メモリアクセス部、２０３  データ格納制御部、２０４  報知部、２０５  充電制御部、２０６  接続検出部、２０７  通話部、２０８  データ通信部、２０９  入力処理部、２１０  ＵＳＢ通信部、２１１  モード制御部、２１２  モード切替部、２１３  スタンバイモード部、２１６  公共モード部、２２０  充電モード部、２３０  ＵＳＢ通信検出部、２３１  着信検出部、２１７  着信報知部、２１８  メッセージ送信部、２１９  留守録部。
【図１】
0005450601.tif 000002
【図２】
0005450601.tif 000003
【図３】
0005450601.tif 000004
【図４】
0005450601.tif 000005
【図５】
0005450601.tif 000006